(57)【特許請求の範囲】
【請求項１】
外開きドアの開放端面に一端が固定されるシート状のロックシートと、
ドアの枠側に固着されるロック受けとを有し、
前記ロックシートは可撓性を有する材料により形成されるとともに、
ロックシートの自由端にはロック受けに形成されたベルベットファスナに分離可能に貼着可能なベルベットファスナ部が形成される錠装置。
【請求項２】
前記ロックシートは裏面全面をベルベットファスナ面としたシート体により形成される請求項１記載の錠装置。
【請求項３】
前記ロックシートには、ドアの室内側表面に着脱可能な貼着部が形成される請求項１または２記載の錠装置。
【発明の詳細な説明】
【０００１】
【発明の属する技術分野】
本発明は錠装置に関するものである。
【０００２】
【従来の技術】
開きドアの錠装置としては、従来から種々のものが提案されている。それらの多くのものは、ドア側に収容される箱錠のデッドボルトをノブ等の回転によりドア枠側の係止穴に進退させるように構成される。
【０００３】
【発明が解決しようとする課題】
しかし、上述した従来例においては、錠装置を新たに設置するには、ドア、およびドア枠の双方に加工を要し、利用者による取付け、取り外しができないという欠点を有する。
【０００４】
本発明は以上の欠点を解消すべくなされたもので、利用者が簡便に取付け、取り外しのできる錠装置の提供を目的とする。
【０００５】
【課題を解決するための手段】
本発明によれば上記目的は、
外開きドア１の開放端面１０に一端が固定されるシート状のロックシート２と、
ドア１の枠側に固着されるロック受け３とを有し、
前記ロックシート２は可撓性を有する材料により形成されるとともに、
ロックシート２の自由端にはロック受け３に形成されたベルベットファスナ３０に分離可能に貼着可能なベルベットファスナ部４が形成される錠装置を提供することにより達成される。
【０００６】
本発明においてロックシート２は可撓性を有する材料によりシート状に形成されており、適宜手段でドア１の開放端面１０に固定される。施錠を行う際には、上記ロックシート２の自由端部を室内側に引き込み、先端のベルベットファスナ部４をドア１枠のロック受け３に形成されたベルベットファスナ３０に接合させる。施錠状態においてドア１を開放しようとすると、ロックシート２は開き方向に引っ張られるが、接合状態にある一対のベルベットファスナは、剪断方向の力に対しては十分な接合強度を有するために、ドア１の開放を阻止するに十分な接合強度を発揮することができる。これに対し、接合状態にある一対のベルベットファスナは劈開方向の力に対しては容易に剥離可能であるために、ロックシート２側のベルベットファスナを引き剥すようにして引っ張ると簡単に接合が解除され、解錠状態となる。
【０００７】
ベルベットファスナ部４は少なくともロック受け３に対応する部位、すなわち先端部のみに形成してあれば足りるが、請求項２に係る発明のように、裏面全面をベルベットファスナ面としたシート体は広く市販されているので、これを使用すれば、製造が簡単になる。
【０００８】
さらに、解錠状態においてロックシート２の自由端部のぶらつきを防止し、さらには、退室後にロックシート２がロック受け３に接合するのを防止するためには、請求項３に記載されるように、ロックシート２の自由端部に貼着部５を形成し、ドア１の室内側表面に貼着させておくことができる。貼着部５は、ドア１の室内側表面が金属製の場合には磁石を固定することにより、また、金属でない場合には、室内側表面に磁石、あるいは金属を貼着し、貼着部５として金属プレート、あるいは磁石を固定したり、あるいは双方にベルベットファスナを使用することができる。
【０００９】
【発明の実施の形態】
図１、２に示すように錠装置は、シート状のロックシート２と、ロック受け３とからなる。ロックシート２は適宜の柔軟性、あるいは可撓性と強度を有する材料、例えばナイロン、あるいはポリエステルシートであり、一面全面にベルベットファスナ（マジックテープ）が形成される。当該素材としては、例えば株式会社東レ製「ベルクロ」（商品名）が使用できる。また、ロックシート２の一端部には両面粘着テープを粘着、固定して固定部２０が形成され、ロックシート２の他端には例えば布等を縫製して操作部２１が形成される。
【００１０】
なお、この実施の形態において、ロックシート２は裏面全面にベルベットファスナ面が予め形成されたシート体を使用して製造されているが、このほかに、適宜の強度、柔軟性を有するシート体の適宜位置、詳しくは後述するロック受け３のベルベットファスナ３０に合致する位置にのみベルベットファスナを貼着してベルベットファスナ部４としてもよい。
【００１１】
以上のロックシート２は以下のようにして使用される。まず、図１に示すように、外開きドア１のドア枠、あるいは室内側の壁面６にロック受け３を粘着、固定する。ロック受け３は上記ロックシート２と同一の素材により形成され、ベルベットファスナ面と反対面に両面粘着テープ等を粘着、固定して固定部３１を形成し、両面粘着テープの離型紙を剥がすことにより容易に所定位置に粘着、固定できる。
【００１２】
さらに、ドア１の開放端面１０に上記ロックシート２を固定する。ロックシート２はベルベットファスナ面が上記ロック受け３のベルベットファスナ３０に対向するように粘着、固定され、固定部２０の両面粘着テープの離型紙を剥がすことにより容易にドア１の開放端面１０に粘着、固定できる。
【００１３】
この状態で室内をロックするには、ロックシート２の操作部２１を室内側に引き込んでベルベットファスナ部４をロック受け３のベルベットファスナ３０に吸着させる。ロックシート２は薄く、かつ、柔軟であるために、操作部２１をドア１の室内表面に位置させた状態でドア１を閉じ、この後、操作部２１を室内側に引くだけで、ドア１の開放端部とドア枠との間隙を該ドア１の開放端部とドア枠に沿って変形しながら挿通し、容易にロック受け３にベルベットファスナ部４を貼り付けることができる。このとき、ドア１を強く引いた際にロックシート２とロック受け３のベルベットファスナ３０、４の吸着界面に衝撃が加えられ、不用意に吸着面の剥離が生じないように、ロックシート２は弛みのない状態に引っ張った後、ロック受け３に貼り付けて固定させるのが望ましい。
【００１４】
ロックシート２の自由端、すなわち操作部２１をロック受け３に貼着させたロック状態でドア１を外側に開けようとすると、ドア１への操作力がロックシート２に伝達され、ロックシート２とロック受け３との接合部には剪断方向の力が働く。上述したようにベルベットファスナは剪断方向の分離力に対して高い抵抗力を発揮し、かつ、ロックシート２とロック受け３とはドア１の開放操作力による分離力を考慮して十分に大きな面積で接合しているために、ドア１が開放されることはない。この状態から操作部２１を接合界面の劈開方向に操作すれば容易に接合面が剥離してロック状態を解除することができる。
【００１５】
さらに、この実施の形態においてロックシート２には貼着部５が形成され、ドア１の室内側壁面にはロック保持部７が形成される。貼着部５はロックシート２のドア１対応面の端部にベルベットファスナを配置して形成され、ロック保持部７はベルベットファスナの裏面に両面粘着テープを貼り付けた固定部７０を有して形成される。したがってこの実施の形態において、ロック不使用時に貼着部５をロック保持部７に貼着しておけば、ぶらつきことがなく、また、室外に出る時にも不用意にロック状態に移行することがなくなる。
【００１６】
なお、以上においてはベルベットファスナを使用して貼着部５をドア１の壁面に貼着する場合を示したが、磁石を利用することも可能であり、この場合、ドア１の壁面が吸磁性を有する金属により形成されている場合には、貼着部５に磁石を固定しておくだけでロック保持部７を特に設ける必要はなく、ドア１の壁面が吸磁性を有しない場合には、貼着部５、およびロック保持部７のいずれかを鉄板等の吸磁性材料で、他方を磁石で形成すればよい。また、図１においてロックシート２は縦長の矩形形状をなしているが、横長にすることもできる。
【００１７】
【発明の効果】
以上の説明から明らかなように、本発明によれば、ドア等に何等の加工を加えることなくドア錠を設置することができる。また、ロックシートは柔軟なためにドアとドア枠との間で自由に変形することができるので、どのような構造のドアにも適用することができる。
【図面の簡単な説明】
【図１】本発明を示す斜視図である。
【図２】本発明の断面図である。
【符号の説明】
１        ドア
１０      開放端面
２        ロックシート
３        ロック受け
３０      ベルベットファスナ
４        ベルベットファスナ部
５        貼着部
【図１】
0003980171.tif 000002
【図２】
0003980171.tif 000003